(57)【要約】【課題】街灯として外部電源のない所に設置することができ、防犯灯として非常事態の告知効果、不審者に対する警告、威嚇効果の大きな多機能防犯灯を実現する。【解決手段】下部に制御機器を収納することができる制御ボックス２を備えた支柱１の上端部に太陽電池モジュール３を設置して昼間に発電した電気を制御ボックス内に配置した蓄電池４に充電し、蓄電池の電気によって機器を作動させる。支柱の上部に回転灯５、広角カメラ６、警報器７、ＬＥＤ照明灯８を配置する。支柱の低い位置に非常ボタン９を設け、非常ボタンが押されることによって昼夜を問わず回転灯を駆動し、警報器によって警告音を発生し、広角カメラの画像を制御ボックス内に配置したレコーダ10に記憶させ、さらにＬＥＤ照明灯を点滅させる。【選択図】  図１
0003151529.tif 000002
【実用新案登録請求の範囲】
【請求項１】
下部に制御機器を収納することができる制御ボックスを備えた支柱の上端部に太陽電池モジュールを設置して昼間に発電した電気を制御ボックス内に配置した蓄電池に充電し、該蓄電池の電気によって、
支柱の上部に配置した回転灯、広角カメラ、警報器、ＬＥＤ照明灯を駆動するものとし、光センサもしくは２４時間タイマによって夜間のＬＥＤ照明灯の点灯制御行うとともに、
支柱の低い位置に非常ボタンを設け、該非常ボタンが押されることによって昼夜を問わず回転灯を駆動し、警報器によって警告音を発生し、広角カメラを駆動してその画像を制御ボックス内に配置したレコーダに記憶させ、さらにＬＥＤ照明灯を点滅させることを特徴とする多機能防犯灯。
【請求項２】
非常ボタンによって駆動する広角カメラの画像は略３分程度を消去させないで記憶しておくことを特徴とする請求項１記載の多機能防犯灯。
【請求項３】
非常ボタンによって駆動する回転灯、警報器、ＬＥＤ照明灯の点滅はタイマによって一定時間係属させることを特徴とする請求項１記載の多機能防犯灯。
【請求項４】
支柱の下部に備えた制御ボックス内に自動体外式除細動器(ＡＥＤ)を収容したことを特徴とする請求項１記載の多機能防犯灯。
【請求項５】
支柱の下部に制御ボックスを形成し、自動体外式除細動器(ＡＥＤ)を収容する空間の下部に空気取り入れ口を、支柱の上部に空気排出口を設け、空間を通過する空気によって自動体外式除細動器(ＡＥＤ)を冷却することを特徴とする請求項４記載の多機能防犯灯。
【考案の詳細な説明】
【技術分野】
【０００１】
この考案は、街灯として機能するように道路脇などに設置し、事件、事故その他の非常事態が発生したときに、周辺に知らせる効果が大きな多機能防犯灯、さらにＡＥＤを備えることによって緊急処置を行うことができる防犯灯に関する考案である。
【背景技術】
【０００２】
一般に街灯(照明灯)として柱の上部に太陽電池を配置するとともに、蓄電池を設け照明灯を点灯する思想や、赤外線センサを取り付けて人の存在を感知したときに照明灯を点灯させる思想が特許文献１に開示されている。また、この種照明灯にサイレン、間歇発光ストロボ、ビデオ監視カメラなどを設けて防犯灯としての機能を備える思想が特許文献１ないし３に記載されている。また照明灯としてＬＥＤを使用することが特許文献３に開示されている。
【先行技術文献】
【特許文献】
【０００３】
【特許文献１】実用新案登録第３０４４３３０号公報
【特許文献２】実用新案登録第３０４５４６１号公報
【特許文献３】実用新案登録第３１３０２１８号公報
【考案の概要】
【考案が解決しようとする課題】
【０００４】
特許文献１ないし３には、照明灯を防犯灯として非常事態を知らせる試みが行われている。本考案は、より効率的に照明灯を活用するとともに、より大きな防犯効果を発揮することができるとともに、ＡＥＤによる救命処置を行うことができる防犯灯を提供することを目的とするものである。
【課題を解決するための手段】
【０００５】
より効果的な防犯灯を提供するため、請求項１記載の本考案は、下部に制御機器を収納することができる制御ボックス２を備えた支柱１の上端部に太陽電池モジュール３を設置して昼間に発電した電気を制御ボックス２内に配置した蓄電池４に充電し、蓄電池４に充電した電気によって電気機器を作動させる。支柱の上部には、回転灯５、広角カメラ６、警報器７、ＬＥＤ照明灯８を配置する。
【０００６】
照明灯はＬＥＤを採用することによって消費電力を減少させるとともに、蓄電池４を例えば２台以上設置して容量を大きくすることによって常夜灯としても利用することができようにする。すなわち、光センサもしくは２４時間タイマによって夜間のＬＥＤ照明灯の点灯制御を行う。
【０００７】
支柱１の低い位置には非常ボタン９を設け、この非常ボタン９が押されることによって昼夜を問わず回転灯５を駆動し、警報器７によって警告音を発生し、広角カメラ６を駆動してその画像を制御ボックス２内に配置したレコーダ10に記憶させるとともに、ＬＥＤ照明灯８を点滅させ非常事態であることをアピールする。
【０００８】
非常ボタン９によって駆動する広角カメラの画像は、長時間撮影するものであってもよいが、請求項２記載の考案はより効果的な方法として非常ボタン作動後、略３分程度を消去させないで記憶するようにする。
非常ボタンによって駆動する回転灯、警報器、ＬＥＤ照明灯の点滅はスイッチ操作によって切断することもできるが、タイマによって一定時間継続させ、一定時間経過後切断するのが好ましい。
【０００９】
支柱の下部に備えた制御ボックス内には、自動体外式除細動器 (ＡＥＤ) 18を収容する。自動体外式除細動器 (ＡＥＤ) 18を収容し保管するに際し、機器に支障を生じないように異常高温とならないように、冷却手段を設ける。冷却手段として、自動体外式除細動器(ＡＥＤ)18を収容する空間の下部に空気取り入れ口19を、支柱１の上部に空気排出口20を設け、自動体外式除細動器 (ＡＥＤ) 18を収容した空間を通過する空気によって自動体外式除細動器(ＡＥＤ)18を冷却する。
【考案の効果】
【００１０】
請求項１記載の、本考案多機能防犯灯によれば、太陽電池モジュール３を設置して昼間に発電した電気を蓄電池４に充電し、この蓄電池の電気によって機器を作動させるため、電源のない場所への設置が可能となる。このとき、照明灯をＬＥＤ照明灯８とすることによって、長寿命を実現し低いコストで防犯灯を維持管理することができる。
【００１１】
防犯上の非常時に、非常ボタン９を押すことによって、支柱１の上部に配置した回転灯５が回転すると同時に警報器７が起動し、例えば１０５db程度の大きな音量で非常時(緊急事態)であることを周辺に告げる。すなわち、視覚と聴覚の両方によって不審者及び周辺の人々に対して明確に訴えることができる。
【００１２】
非常ボタン９によって作動するカメラは、広角カメラ６とすることによって周囲の状況を広く、明確に撮影して記録する。したがって、事件事故の状況や不審者の映像などを確実に残すことができる。さらに、非常ボタンによってＬＥＤ照明灯８を点滅(フラッシング)させることによって、より明確に注意を喚起することができる効果がある。
【００１３】
請求項２記載の考案によれば、非常ボタン９によって駆動する広角カメラ６の画像は略３分程度を消去させないで記憶しておく。これによって、カメラの駆動時間を制限して余分な画像を記憶させないため、節電効果があるとともに、記憶させる時間を短くする。これにより、例えば高画質の画像を消去せずに記憶させておくことが可能となり、不審者の特定、事故原因の究明などに極めて有効である。
【００１４】
請求項３記載の考案によれば、非常ボタン９によって駆動する回転灯５、警報器７、ＬＥＤ照明灯８の点滅をタイマによって一定時間係属させることによって、騒音などを余分に係属させることがなくなる。防犯灯の設置場所の状況によっても変わるが、非常事態を知らせる警報は一定時間で周知徹底するものであることに鑑み、周知徹底した後はある程度静かな方が、事故処理や事件の処理を能率的に進めることができる効果がある。
【００１５】
請求項４記載の考案によれば、心停止の急病人が発生した場合にＡＥＤを用いて除細動を行い、救命作業を行うことができる。心停止の場合、一刻も早い除細動が救命率を著しく向上することは知られるところであり、防犯灯にＡＥＤを備えることによって救命効果を発揮することができる。請求項５記載の発明によれば、簡単な構造によってＡＥＤを収容する空間の異常高温を防止し、常に支障なく使用できる状態に維持することができる。そして、冷却手段として、自動体外式除細動器(ＡＥＤ)18を収容する空間の下部に空気取り入れ口19を、支柱１の上部に空気排出口20を設けることによって、支柱高さの煙突効果によって効果的に冷却することができる。
【図面の簡単な説明】
【００１６】
【図１】図１は、本考案に係る多機能防犯灯の正面図、
【図２】図２は、多機能防犯灯の右側面図、
【図３】図３は、本考案に係る多機能防犯灯制御の一例を示すシーケンス図、
【図４】図４は、別の実施形態を示す多機能防犯灯の下部のみの正面図及び側面図である。
【考案を実施するための形態】
【００１７】
本考案の好ましい実施形態を添付の図面に基づいて説明する。図１に示す実施形態の防犯灯は、角筒状に形成した制御ボックス２の上に支柱１を立設し、その上端部に斜め方向に太陽電池モジュール３を設置している。太陽電池モジュール３は、例えば斜め45度に設置し上端に棒状の鳥よけ柵11を設けて糞害を防止している。
【００１８】
支柱の上部には、回転灯５、広角カメラ６、警報器７(０db〜105db程度の範囲で音量調節が可能なもの)及びＬＥＤ照明灯８を配置し、これらを太陽電池モジュール３で発電し、蓄電池４に充電した電気で作動させる。すなわち、外部電力を全く使用せずに作動させ商用電源が供給困難な場所へ設置することができるように考慮する。外部電力を使用しないためには、太陽電池モジュール３の発電容量と、蓄電池４の蓄電容量を考慮し、例えば複数の蓄電池４、４を制御ボックス２内に設ける。
ＬＥＤ照明灯８は、街灯として機能させるために、暗くなったときに点灯させる光センサもしくは時間によって点灯制御を行う２４時間タイマを備えるのが好ましい。
【００１９】
支柱の低い位置、例えば子供が押し易い高さに非常ボタン９を配置する。非常ボタン９を押すことによって、支柱１の上部に配置した回転灯５、広角カメラ６(レコーダ10)、警報器７を駆動させる。さらに、ＬＥＤ照明８をフラッシング(点滅)させる。ＬＥＤ照明８をフラッシングさせることによって、回転灯５や警報器７の相乗効果によって緊迫感が演出され、周囲の人々などへのアピール効果、警告、威嚇効果を向上し、犯罪抑止効果を発揮することができる。
なお、本考案に係る防犯灯は、蓄電池によって駆動させるため全ての機器を直流12Ｖ稼動させることによって安全性の高いものとすることができる。
【００２０】
本考案に係る多機能防犯灯の作動状況を図３に基づいて説明する。図中12は放充電制御器であって、太陽電池モジュール３によって発電された電気を蓄電池４、４に充電させるとともに、支柱上部設置機器Ａやレコーダ10に電気を供給する。制御器として２４時間タイマ13、非常ボタン９、警報時間設定タイマ14を備えている。
【００２１】
２４時間タイマが作動すると、端子15が入りＬＥＤ照明灯８が点灯する。非常ボタン９が押されると、端子16が入り回転灯５、警報器７が作動するとともに、警報時間設定タイマ14が作動し、一定時間経過することによって非常ボタン９の端子17を切断する。また、広角カメラ６のレコーダ10を一定時間作動させる。
【００２２】
支柱の下部に備えた制御ボックス内には、自動体外式除細動器 (ＡＥＤ) 18を収容する。自動体外式除細動器 (ＡＥＤ) 18は、扉21を備えたＡＥＤ収容ボックスを形成し、その中にＡＥＤを収容する。自動体外式除細動器 (ＡＥＤ) 18は、機能的に支障を生じないように、ＡＥＤの収容部が異常高温とならないように、冷却手段を設ける。
【００２３】
ＡＥＤを収容する空間の冷却手段として比較的簡単な構造として、空間の下部に空気取り入れ口19を、支柱の上部に空気排出口20を設け、自動体外式除細動器 (ＡＥＤ) 18を収容した空間を通過する空気の自然対流によって自動体外式除細動器(ＡＥＤ)18を冷却する。空気取り入れ口19及び空気排出口20は、例えば鎧起こし状とし、排出口20を陣笠式とすることによってなるべく雨風が吹き込まないようにする。支柱の高さが煙突効果を発揮し、太陽で熱せられるような状況下において空気の循環を活発化し効果的に冷却することができ。冷却手段として、換気扇を取り付け温度センサによって高温時に駆動させるようにすることもできる。
【符号の説明】
【００２４】
１…支柱、  ２…制御ボックス、  ３…太陽電池モジュール、  ４…蓄電池、  ５…回転灯、  ６…広角カメラ、  ７…警報器、  ８…ＬＥＤ照明灯、  ９…非常ボタン、  10…レコーダ、  11…鳥よけ柵、  12…放充電制御器、  13…２４時間タイマ、  14…警報時間設定タイマ、  15、16、17…端子、    18…自動体外除細動器(ＡＥＤ)、  19…空気取り入れ口、  20…空気排出口、  21…扉、  Ａ…支柱上部設置機器。
【図１】
0003151529.tif 000003
【図２】
0003151529.tif 000004
【図３】
0003151529.tif 000005
【図４】
0003151529.tif 000006